(57)【要約】【課題】  鉛直方向に対する固定物への取付け時間を短縮可能な地上型標識灯用水準器装置およびこの水準器装置を使用可能な地上型標識灯を提供する。【解決手段】  地上型標識灯１は、光源９を配設している光源ユニット２と、一端側開口４ｃの取付け部１１に光源ユニット２を取り付けているとともに、他端側４ｂが地面に固定された固定物６に立設方向調整可能に取り付けられる略筒状の灯体４と、光源ユニット２を内包し灯体４の一端側開口４ｃを覆うようにして灯体４の一端側４ａに着脱可能に取り付けられるとともに、地上型標識灯用水準器装置４０の凹部４３に少なくとも頂部３４および周回に亘る側面３５が密接可能に形成された略筒状の保護カバー５とを具備している。【選択図】図２
2012079497.tif 000002
【特許請求の範囲】
【請求項１】
少なくとも平坦状の上面を有する略柱状の本体と；
この本体の上面に設けられた水準器と；
前記本体の下面に、地上型標識灯の光源を内包している略筒状の保護カバーの少なくとも頂部および周回に亘る側面が密接可能となるように形成された凹部と；
を具備していることを特徴とする地上型標識灯用水準器装置。
【請求項２】
可視光を放射する光源を配設している光源ユニットと；
一端側開口に取付け部を有し、この取付け部に前記光源ユニットを取り付けているとともに、他端側が地面に固定された固定物に立設方向調整可能に取り付けられる略筒状の灯体と；
前記光源ユニットを内包し前記灯体の一端側開口を覆うようにして前記灯体の一端側に着脱可能に取り付けられるとともに、請求項１記載の地上型標識灯用水準器装置の凹部に少なくとも頂部および周回に亘る側面が密接可能に形成された略筒状の保護カバーと；
を具備していることを特徴とする地上型標識灯。
【発明の詳細な説明】
【技術分野】
【０００１】
本発明の一実施形態は、地上型標識灯を設置するときに使用される地上型標識灯用水準器装置およびこの水準器装置を使用可能な光源の放射光を所定の方向に出射する地上型標識灯に関する。
【背景技術】
【０００２】
誘導路用標識灯のような地上型航空標識灯は、可折接手と呼ばれる固定物に取り付けられている。この可折接手は、万が一、航空機が標識灯に接触した際に、航空機に損害を与えることがないように自損する脆弱性を有している。そして、可折接手は、配管に繋がって設置されている。地上型航空標識灯は、配管からの電気ケーブルにより内部に収容されている点灯装置に電力が供給されている。
【０００３】
そして、地上型航空標識灯には、発光ダイオードを光源とし、発光ダイオードの放射光を全周に亘る水平方向に出射しているものがある（例えば特許文献１参照。）。この地上型標識灯は、重力が作用する鉛直方向に対して傾いていると、放射光が水平方向に出射されないので、前記鉛直方向となるように可折接手に取り付けられている。飛行場においては、鉛直方向に対して±０．２５°以内で設置することが求められている。すなわち、可折接手が地面に傾いて設置されていることや地面が傾斜していることが想定されるので、地上型航空標識灯は、鉛直方向に対して所定の角度以内となるように可折接手に取り付けられている。
【０００４】
そして、地上型航空標識灯を可折接手に取り付けるときに、標識灯本体から保護カバーを取りはずし、標識灯本体の上面の光源ユニットの空きスペースに水準器を載置（設置）し、水準器を見ながら鉛直方向に対して所定の角度以内となるように地上型航空標識灯を可折接手に取り付けることが行われている。
【先行技術文献】
【特許文献】
【０００５】
【特許文献１】特開２００８−３１１１１６号公報（第４頁、第２図）
【発明の概要】
【発明が解決しようとする課題】
【０００６】
水準器の設置のために、標識灯本体から保護カバーを取りはずし、取付作業後に標識灯本体に保護カバーを取り付けることは、手間を要し、取付作業時間が長くなるという欠点を有する。特に、飛行場においては、多数の地上型航空標識灯を可折接手に取り付ける必要があり、省力化が図れにくいものであった。
【０００７】
本発明は、鉛直方向に対する固定物への取付け時間を短縮可能な地上型標識灯用水準器装置およびこの水準器装置を使用可能な地上型標識灯を提供することを目的とする。
【課題を解決するための手段】
【０００８】
本実施形態の地上型標識灯は、光源ユニット、灯体および保護カバーを有して構成される。
【０００９】
実施形態の光源ユニットは、可視光を放射する光源を配設している。
【００１０】
実施形態の灯体は、略筒状に形成され、一端側開口に取付け部を有している。この取付け部に光源ユニットを取り付けている。そして、他端側が地面に固定された固定物に立設方向調整可能に取り付けられている。
【００１１】
実施形態の保護カバーは、光源ユニットを内包し、灯体の一端側開口を覆うように灯体の一端側に着脱可能に取り付けられている。そして、地上型標識灯用水準器装置の凹部に少なくとも頂部および周回に亘る側面が密接するように略筒状に形成されている。保護カバーは、光源の放射光を透過させる透光性を有している。
【発明の効果】
【００１２】
本実施形態によれば、地上型標識灯を地面に固定された固定物に取り付けるときに、保護カバーに地上型標識灯用水準器装置を被着し、その水準器を見ながら、地上型標識灯を鉛直方向に対して所定の角度となるように固定物に取り付ける作業を行えるので、保護カバーを灯体から取り外すことなどを要しなく、前記取付け作業を短縮することができて、省力化を図ることが期待できる。
【図面の簡単な説明】
【００１３】
【図１】本発明の実施例１を示す地上型標識灯用水準器装置であり、（ａ）は概略上面図、（ｂ）は一部切り欠き側面図である。
【図２】同じく、地上型標識灯用水準器装置を取り付けている状態の地上型標識灯の一部切り欠き概略正面図である。
【図３】同じく、地上型標識灯の概略正面断面図である。
【図４】同じく、保護カバーを示し、（ａ）は概略正面断面図、（ｂ）は概略下面図である。
【発明を実施するための最良の形態】
【００１４】
以下、本発明の一実施の形態について、図面を参照して説明する。
【実施例１】
【００１５】
本発明の実施例１の地上型標識灯は、図２ないし図４に示すように構成され、地上型標識灯に使用される地上型標識灯用水準器装置は、図１および図２に示すように構成されている。まず、本実施形態の地上型標識灯１について説明する。
【００１６】
図３において、地上型標識灯１は、地上型航空標識灯であり、光源ユニット２、点灯装置３、灯体４および保護カバー５を有して形成されている。この地上型標識灯１は、灯体４が固定物としての可折接手６に固定され、光源ユニット２から放射された可視光を灯体４の所定方向を出射するものである。
【００１７】
光源ユニット２は、略円柱状の基台７を有する土台８、基台７の上面に配設された光源としての発光ダイオード９および発光ダイオード９を覆うようにして基台７の上面に取り付けられたプリズム１０を有して形成されている。発光ダイオード９は、地上型標識灯１の設置場所に応じて、赤色、緑色、青色などの所定の色光の可視光を放射するＬＥＤパッケージを用いている。プリズム１０は、発光ダイオード９の放射光が水平方向側に放射されるように発光ダイオード９の放射光を屈折させている。
【００１８】
光源ユニット２は、灯体４の一端側開口４ｃに配設されている。灯体４は、例えばアルミニウム(Ａｌ)からなり、一端側４ａの内側に、内方に突出する取付け部１１を形成している。この取付け部１１には、中央部に基台７を有する略円盤状の土台８がねじ１３により固定されている。
【００１９】
また、土台８には、灯体４の内部に収容するようにして点灯装置３がねじ１４等により取り付けている。点灯装置３は、カレントトランスＴ１や発光ダイオード９を点灯する図示しない回路部品を有して形成されている。
【００２０】
そして、灯体４は、一端側４ａおよび他端側４ｂの内部を完全に遮断する台座部１５が形成されている。この台座部１５の中心位置に図示しない孔が形成されており、当該孔に防水手段としての防水型ケーブルクランプ１６が他端側４ｂから嵌め込まれている。防水型ケーブルクランプ１６は、一端側に雄コネクタ１７を有する電気ケーブル１８の他端側に設けられていて、電気ケーブル１８のリード線１９，１９を導出している。リード線１９，１９は、コネクタ２０，２０を介してカレントトランスＴ１に接続されている。
【００２１】
灯体４は、その他端側４ｂにおいて、一部が他端側４ｂの内部に挿入された略円筒状の固定物としての可折接手６に４本のボルト２１により取り付けられている。灯体４の外面４ｄには、外面４ｄから円錐台状に突出して設けられたボルト取付部２２が形成されている。そして、ボルト取付部２２および灯体４には、ボルト２１がねじ込まれる図示しないねじ孔が形成されている。このねじ孔にボルト２１がねじ込まれて、ボルト２１の先端が可折接手６に当接して押し当てることにより、灯体４は、可折接手６に固定される。そして、ボルト２１のねじ込みが振動等により緩まないように、ボルト２１に螺着されたナット２３をボルト取付部２２に押し当てている。
【００２２】
ボルト取付部２２は、図２に示すように、灯体４の外面４ｄの周りに９０°毎に設けられている。灯体４は、４本のボルト２１を緩めることにより、可折接手６の回りに回動させることができ、また、可折接手６から取り外すことができる。そして、４本のボルト２１のねじ込みを調整して、ボルト２１を可折接手６に押し付ける強さを調整することにより、重力の作用する鉛直方向に対する角度（傾き）を調整することができる。すなわち、地上型標識灯１は、立設方向調整可能となっている。
【００２３】
なお、灯体４の外面４ｄには、接地用端子２４が設けられている。
【００２４】
図３において、可折接手６は、例えばアルミニウム(Ａｌ)からなり、地中に埋設された配管ボックス２５に立設するように固定されている。電気ケーブル１８は、可折接手６の内部を通過して配管ボックス２５内に導入されている。そして、電気ケーブル１８の雄コネクタ１７は、配管ボックス２５に導入された外部からの電気ケーブル２６の雌コネクタ２７に接続されている。電気ケーブル２５は、配管２８内に配線されている。これにより、点灯装置３は、外部の交流定電流電源に接続されている。
【００２５】
そして、灯体４は、その一端側４ａの外面に環状の段部２９が形成されている。段部２９の外周面には、周回方向に亘る図示しないネジ部が形成されている。
【００２６】
保護カバー５は、透光性を有する例えばポリカーボネート（ＰＣ）樹脂からなり、図４（ａ）に示すように、一端側５ａが閉塞された略円筒状に形成されている。そして、他端側５ｂの内周面には、灯体４の図示しないネジ部に螺合する図示しない被ネジ部３０が形成されている。被ネジ部３０は、図４（ｂ）に示すように、一連ではなく、断続的に形成されている。そして、保護カバー５の内面５ｃには、一端側５ａから他端側５ｂに沿うスリット３１が周回に等間隔で形成されている。また、保護カバー５は、他端側５ｂの端部５ｂｂが中間部５ｄよりも幾分拡径に形成されていて、他端側５ｂには、滑らかな段差３２が形成されている。こうして、略円筒状に形成された保護カバー５は、外形において、閉塞された一端側５ａに頂部３４が形成され、中間部５ｄに円筒の側面３５が形成されている。
【００２７】
保護カバー５は、被ネジ部３０が灯体４の段部２９のネジ部に螺合されることにより、図３に示すように、光源ユニット２を内包し灯体４の一端側開口４ｃを覆うようにして灯体４の一端側４ａに取り付けられる。また、保護カバー５は、被ネジ部３０と灯体４のネジ部との螺合を解除することにより灯体４から取り外される。なお、保護カバー５は、防水パッキン３６を介して灯体４の一端側４ａに取り付けられている。
【００２８】
そして、保護カバー５は、側面３５が円筒に形成されているので、灯体４の一端側４ａに取り付けられたときに、円筒に形成された側面３５が灯体４の外面４ｄと略平行となっているものである。すなわち、灯体４の鉛直方向に対する角度と、保護カバー５の鉛直方向に対する角度が同一となっている。
【００２９】
保護カバー５は、光源ユニット２の発光ダイオード９の放射光を透過して外部空間に出射させる。光源ユニット２は、プリズム１０により発光ダイオード９の放射光を略水平方向に放射させる。保護カバー５の内面５ｃに形成されたスリット３１は、発光ダイオード９の放射光を水平方向に拡散させる。こうして、外部から地上型標識灯１を見たときに、光源ユニット２の発光部が大きく見えて、発光ダイオード９の放射光の眩しさを低減させている。すなわち、グレアの発生を防止している。
【００３０】
また、保護カバー５は、他端側５ｂに滑らかな段差３２を形成して端部５ｂｂを形成していることにより、段差３２に積雪しにくくし、埃などが滞積しにくくしている。すなわち、保護カバー５の側面３５まで、雪や埃などが積もらなくしており、発光ダイオード８の放射光により所定の配光が得られるようにしている。なお、保護カバー５は、端部５ｂｂおよび中間部５ｄが同径の円筒となるように形成されていてもよい。これにより、保護カバー５に雪や埃などがより積もらなくすることができる。
【００３１】
そして、地上型標識灯１を可折接手６に鉛直方向に対して所定の角度の範囲で取り付けるときに、保護カバー５には、図２に示すように、本実施形態の地上型標識灯用水準器装置４０が被着される。
【００３２】
地上型標識灯用水準器装置４０は、図１に示すように、略柱状の本体４１、水準器４２および凹部４３を有して形成されている。以下、地上型標識灯用水準器装置４０を単に水準器装置４０と称する。
【００３３】
本体４１は、剛性の合成樹脂例えばポリブチレンテレフタレート（ＰＢＴ）樹脂により形成され、上面４１ａおよび下面４１ｂがそれぞれ平坦状に形成されている。そして、本体４１の上面４１ａに水準器４２が設けられている。
【００３４】
水準器４２は、薄肉形の円形箱４４内に充填された液体に気泡４５を有している。円形箱４４の上面４４ａには、水準器装置４０の傾きを表示する傾斜ライン４６および図示しない傾斜角度が表記されている。気泡４５の位置により、水準器装置４０の傾きを知ることができる。
【００３５】
凹部４３は、本体４１の下面４１ｂに形成されている。そして、その内面４３ａに、地上型標識灯１の保護カバー５の少なくとも頂部３４および周回に亘る側面３５が密接するように円柱状または円柱に近い円錐台状に形成されている。
【００３６】
次に、本発明の実施例１の作用について述べる。
【００３７】
地上型標識灯１は、電気ケーブル１８の雄コネクタ１７を地面に埋設された配管ボックス２５内に導入された電気ケーブル２６の雌コネクタ２７に差し込み、固定物としての可折接手６を配管ボックス２５に固定する。これにより、可折接手６は、地面に固定される。そして、灯体４の他端側４ｂの内部に可折接手６を挿入し、４本のボルト２１により、灯体４の他端側４ｂを可折接手６に固定する。これにより、地上型標識灯１は、地面に対して立設される。
【００３８】
そして、地上型標識灯１が重力の作用する鉛直方向に対して所定の角度（例えば、±０．２５°）の範囲内で立設しているか否かを確認するために、図２に示すように、地上型標識灯用水準器装置４０をその凹部４３の内面４３ａが保護カバー５の頂部３４および周回に亘る側面３５に密接するように被せる。この被着により、水準器装置４０は、保護カバー５の鉛直方向に対する角度を測定可能となる。
【００３９】
水準器装置４０の水準器４２の気泡４５および傾斜ライン４６を見て、気泡４５が所定の角度の範囲内であれば、ナット２３をボルト取付部２２に押し当てて、灯体４を完全に可折接手６に固定する。これにより、地上型標識灯１は、可折接手６に取り付けられる。
【００４０】
そして、水準器４２の気泡４５が所定の角度の範囲内に位置していないときには、水準器４２の気泡４５が所定の角度の傾斜ライン４６の内側に移動するように、４本のボルト２１の緩めやねじ込みを調整し、各ボルト２１の可折接手６を押し当てる強度を調整する。このとき、４本のボルト２１の全てが可折接手６に当接するようにする。そして、水準器４２の気泡４５が所定の角度の傾斜範囲内となったときに、ナット２３をボルト取付部２２に押し当てて、灯体４を完全に可折接手６に固定する。
【００４１】
このように、可折接手６が配管ボックス２５に所定の角度の範囲内で取り付けられていないときや地面が傾斜していても、水準器装置４０を保護カバー５に被着することにより、地上型標識灯１を鉛直方向に対して所定の角度の範囲内となるように可折接手６に取り付けることができる。そして、当該取付け作業は、保護カバー５を灯体４から取り外して行うのではなく、水準器装置４０を保護カバー５に被着して行うので、容易にかつ迅速に行える。
【００４２】
上述したように、本実施形態によれば、地上型標識灯１を地面に固定された固定物としての可折接手６に取り付けるときに、保護カバー５に地上型標識灯用水準器装置４０を被着して、その水準器４２の気泡４５および傾斜ライン４６を見ながら、地上型標識灯１を鉛直方向に対して所定の角度となるように可折接手６に取り付ける作業を行えるので、保護カバー５を灯体３から取り外すなどを要せず、これにより、前記取付け作業を短縮することができて、省力化を図ることができるという効果を有する。
【００４３】
なお、光源は、発光ダイオード９でなくてもよく、電球などの他の光源であってもよい。電球の場合、外部電源が電球の定格電源であるときには、点灯装置３を省略できる。
【符号の説明】
【００４４】
１…地上型標識灯、  ２…光源ユニット、  ４…灯体、  ５…保護カバー、  ６…固定物としての可折接手、  ９…光源としての発光ダイオード、  １１…取付け部、  ３４…保護カバーの頂部、  ３５…保護カバーの側面、  ４０…地上型標識灯用水準器装置、  ４１…本体、  ４２…水準器
【図１】
2012079497.tif 000003
【図２】
2012079497.tif 000004
【図３】
2012079497.tif 000005
【図４】
2012079497.tif 000006